(57)【要約】【課題】電力消費に関するユーザの意図を反映した照明制御を可能とする設定方法を提供する。【解決手段】設定方法は、第一の照明制御により照明システムが照明した空間を示す第一画像と、照明システムが第一の照明制御により前記空間を照明するのに要する電力に関連する第一情報とを対応付けて、表示画面に表示する第一表示ステップＳ１０１と、第一の照明制御とは照明態様が異なる第二の照明制御により照明システムが照明した空間を示す第二画像と、照明システムが第二の照明制御により空間を照明するのに要する電力に関連する第二情報とを対応付けて、第一画像及び前記第一情報とともに表示画面に表示する第二表示ステップＳ１０２と、第一の照明制御及び第二の照明制御の一方を示す指示を受けて、空間を照明する照明制御の内容として上記一方の内容を設定する設定ステップＳ１０３とを含む。【選択図】図６
2018067392.tif 000002
【特許請求の範囲】
【請求項１】
照明システムが行う照明制御の内容を設定する設定方法であって、
第一の照明制御により前記照明システムが照明した空間を示す第一画像と、前記照明システムが前記第一の照明制御により前記空間を照明するのに要する電力に関連する第一情報とを対応付けて、表示画面に表示する第一表示ステップと、
前記第一の照明制御とは照明態様が異なる第二の照明制御により前記照明システムが照明した前記空間を示す第二画像と、前記照明システムが前記第二の照明制御により前記空間を照明するのに要する電力に関連する第二情報とを対応付けて、前記第一画像及び前記第一情報とともに前記表示画面に表示する第二表示ステップと、
前記第一の照明制御及び前記第二の照明制御の一方を示す指示を受けて、前記空間を照明する照明制御の内容として前記一方の内容を設定する設定ステップとを含む
設定方法。
【請求項２】
前記設定方法は、さらに、
将来の一の時間帯に前記照明システムが行う照明制御を選択する指示を受ける選択ステップを含み、
前記第一表示ステップでは、前記選択ステップで受けた前記指示により選択された前記照明制御を、前記第一の照明制御として用いて前記表示をし、
前記第二表示ステップでは、前記選択ステップで受けた前記指示により選択された前記照明制御とは異なる照明制御を、前記第二の照明制御として用いて前記表示をし、
前記設定ステップでは、前記一の時間帯に前記空間を照明する照明制御の内容として、前記一方の内容を設定する
請求項１に記載の設定方法。
【請求項３】
前記第二の照明制御は、
前記第二の照明制御に従って照明された前記空間の色相、彩度又は明度が、前記第一の照明制御に従って照明された前記空間の色相、彩度又は明度の類似範囲内に属する、照明制御である
請求項１又は２に記載の設定方法。
【請求項４】
前記第二の照明制御は、
前記第二の照明制御に従って前記空間を照明する照明光の色温度が、前記第一の照明制御に従って前記空間を照明する照明光の色温度の類似範囲内に属する、照明制御である
請求項１〜３のいずれか１項に記載の設定方法。
【請求項５】
前記第二の照明制御は、
前記第二の照明制御に従って前記空間を照明するのに要する電力が、前記第一の照明制御に従って前記空間を照明するのに要する電力と異なる、照明制御である
請求項１〜４のいずれか１項に記載の設定方法。
【請求項６】
前記第二の照明制御は、
前記第二の照明制御に従って前記空間を照明するのに要する照明装置が、前記第一の照明制御に従って前記空間を照明するのに要する照明装置と異なる、照明制御である
請求項１〜５のいずれか１項に記載の設定方法。
【請求項７】
前記設定ステップでは、
前記一の時間帯の時間長より長い期間に含まれる複数の時間帯それぞれについて、前記第一の照明制御及び前記第二の照明制御の一方を示す指示を受けて前記空間を照明する照明制御の内容を設定し、
前記設定方法は、さらに、
前記複数の時間帯それぞれについて設定された前記照明制御により前記照明システムが照明した空間を示す画像を、前記期間に亘って表示する第三表示ステップを含む
請求項２に記載の設定方法。
【請求項８】
前記第三表示ステップでは、さらに、
前記複数の時間帯それぞれについて、前記照明システムが前記空間を照明するのに要する電力と、前記空間で稼動する電気機器により消費される電力とを合計した合計電力を前記表示画面に表示する
請求項７に記載の設定方法。
【請求項９】
前記第三表示ステップでは、
前記複数の時間帯それぞれについて、前記合計電力が閾値を超えている場合に、前記合計電力が前記閾値を超えていない場合とは異なる態様で、前記合計電力を前記表示画面に表示する
請求項８に記載の設定方法。
【請求項１０】
前記第一表示ステップでは、
前記空間を示す建築データであるＢＩＭ（Ｂｕｉｌｄｉｎｇ  Ｉｎｆｏｒｍａｔｉｏｎ  Ｍｏｄｅｌｉｎｇ）データと、前記空間に配備された設備の仕様を含む設備データとを用いて予め生成された前記第一画像及び前記第一情報を用いて、前記表示をし、
前記第二表示ステップでは、
前記ＢＩＭデータと前記設備データとを用いて予め生成された前記第二画像及び前記第二情報を用いて、前記表示をする
請求項１〜９のいずれか１項に記載の設定方法。
【請求項１１】
照明システムが行う照明制御の内容を設定する設定システムであって、
前記設定システムは、制御部を備え、
前記制御部に、
第一の照明制御により前記照明システムが照明した空間を示す第一画像と、前記照明システムが前記第一の照明制御により前記空間を照明するのに要する電力に関連する第一情報とを対応付けて、表示画面に表示する第一表示ステップと、
前記第一の照明制御とは照明態様が異なる第二の照明制御により前記照明システムが照明した前記空間を示す第二画像と、前記照明システムが前記第二の照明制御により前記空間を照明するのに要する電力に関連する第二情報とを対応付けて、前記第一画像及び前記第一情報とともに前記表示画面に表示する第二表示ステップと、
前記第一の照明制御及び前記第二の照明制御の一方を示す指示を受けて、前記空間を照明する照明制御の内容として前記一方の内容を設定する設定ステップとを実行させる
設定システム。
【請求項１２】
請求項１〜１０のいずれか１項に記載の設定方法をコンピュータに実行させるためのプログラム。
【発明の詳細な説明】
【技術分野】
【０００１】
本発明は、照明システムが行う照明制御の内容を設定する設定方法、設定システム、及び、プログラムに関する。
【背景技術】
【０００２】
１以上の照明装置を備える照明システムにより空間を照明することが行われている。また、照明システムを運用するにあたり、照明システムが備える１以上の照明装置のそれぞれの調色又は調光を制御する制御装置が用いられることがある。
【０００３】
特許文献１は、照明システムによる照明制御の設定情報をエネルギー消費（電力消費）に基づいて自動的に選択する照明システムを開示している。
【先行技術文献】
【特許文献】
【０００４】
【特許文献１】特許第５５７５８９６号公報
【発明の概要】
【発明が解決しようとする課題】
【０００５】
特許文献１が開示する照明システムは、電力消費に基づいて照明制御の内容を決定するものであるが、その決定は照明システムの処理によって自動的になされるものである。そのため、ユーザの意図を反映した照明制御を行うことができないという問題がある。
【０００６】
本発明は、電力消費に関するユーザの意図を反映した照明制御を可能とする設定方法等を提供することを目的とする。
【課題を解決するための手段】
【０００７】
上記目的を達成するために、本発明の一態様に係る設定方法は、照明システムが行う照明制御の内容を設定する設定方法であって、第一の照明制御により前記照明システムが照明した空間を示す第一画像と、前記照明システムが前記第一の照明制御により前記空間を照明するのに要する電力に関連する第一情報とを対応付けて、表示画面に表示する第一表示ステップと、前記第一の照明制御とは照明態様が異なる第二の照明制御により前記照明システムが照明した前記空間を示す第二画像と、前記照明システムが前記第二の照明制御により前記空間を照明するのに要する電力に関連する第二情報とを対応付けて、前記第一画像及び前記第一情報とともに前記表示画面に表示する第二表示ステップと、前記第一の照明制御及び前記第二の照明制御の一方を示す指示を受けて、前記空間を照明する照明制御の内容として前記一方の内容を設定する設定ステップとを含む。
【０００８】
また、本発明の一態様に係る設定システムは、照明システムが行う照明制御の内容を設定する設定システムであって、前記設定システムは、制御部を備え、前記制御部に、第一の照明制御により前記照明システムが照明した空間を示す第一画像と、前記照明システムが前記第一の照明制御により前記空間を照明するのに要する電力に関連する第一情報とを対応付けて、表示画面に表示する第一表示ステップと、前記第一の照明制御とは照明態様が異なる第二の照明制御により前記照明システムが照明した前記空間を示す第二画像と、前記照明システムが前記第二の照明制御により前記空間を照明するのに要する電力に関連する第二情報とを対応付けて、前記第一画像及び前記第一情報とともに前記表示画面に表示する第二表示ステップと、前記第一の照明制御及び前記第二の照明制御の一方を示す指示を受けて、前記空間を照明する照明制御の内容として前記一方の内容を設定する設定ステップとを実行させる。
【０００９】
また、本発明の一態様に係るプログラムは、上記の設定方法をコンピュータに実行させるためのプログラムである。
【発明の効果】
【００１０】
本発明の設定方法によれば、電力消費に関するユーザの意図を反映した照明制御をすることができる。
【図面の簡単な説明】
【００１１】
【図１】実施の形態における照明システムにより照明される空間を示す説明図である。
【図２】実施の形態における設定システムの機能ブロックを示すブロック図である。
【図３】実施の形態における設備データに含まれる照明装置の属性を示す属性テーブルの説明図である。
【図４】実施の形態における照明シーン設計のためのユーザインタフェースを示す説明図である。
【図５】実施の形態における表示画面が表示する画像の第一例を示す説明図である。
【図６】実施の形態における設定方法の処理を示すフロー図である。
【図７】実施の形態における制御決定部による照明制御の内容の決定方法の第一例を示す説明図である。
【図８】実施の形態における制御決定部による照明制御の内容の決定方法の第一例において表示画面が表示する画像を示す説明図である。
【図９】実施の形態における制御決定部による照明制御の内容の決定方法の第二例を示す説明図である。
【図１０】実施の形態における制御決定部による照明制御の内容の決定方法の第二例において表示画面が表示する画像を示す説明図である。
【図１１】実施の形態における制御決定部による照明制御の内容の決定方法の第三例を示す説明図である。
【図１２】実施の形態における制御決定部による照明制御の内容の決定方法の第三例において表示画面が表示する画像を示す説明図である。
【発明を実施するための形態】
【００１２】
以下、本実施の形態に係る設定方法及び設定システム等について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置や接続形態、及び、工程（ステップ）や工程の順序などは、一例であって本発明を限定する主旨ではない。よって、以下の実施の形態における構成要素のうち、本発明の最上位概念を示す独立請求項に記載されていない構成要素については、任意の構成要素として説明される。なお、各図は、模式図であり、必ずしも厳密に図示されたものではない。
【００１３】
（実施の形態）
本実施の形態において、電力消費に関するユーザの意図を反映した照明制御をする設定方法について説明する。具体的には、この設定方法によれば、空間を照明する照明制御の内容を設定する際に、電力消費に関するユーザの意図を反映することができる。ここで、空間とは、建築物内において照明制御により照明される空間である。建築物は、具体的には、オフィスビル、学校、スーパーマーケット又はホテルなどであるが、これらに限定されない。
【００１４】
図１は、本実施の形態における照明システム１８により照明される空間１００を示す説明図である。空間１００は、例えばオフィスビル内の１フロアに相当する。空間１００には１以上の照明装置１０２を含む照明システム１８が配備されており、空間１００は、照明システム１８つまり１以上の照明装置１０２により照明される。
【００１５】
設定システム１は、照明システム１８が行う照明制御の内容を設定するシステムである。照明システム１８が行う照明制御の内容とは、１以上の照明装置１０２それぞれの調光及び調色の制御の内容を含む。
【００１６】
設定システム１は、照明システム１８が行う照明制御の内容を設定する際に、電力消費に関するユーザの意図を取得することで、電力消費に関するユーザの意図を反映した照明制御を可能とするものである。
【００１７】
設定システム１の構成について具体的に以下で説明する。
【００１８】
図２は、本実施の形態における設定システム１の機能ブロックを示すブロック図である。
【００１９】
図２に示されるように、設定システム１は、記憶部１０と、制御決定部１３と、表示画面１６と、設定部１７とを備える。なお、設定システム１が表示画面１６を備えずに、設定システム１の外部の表示画面に画像を表示させる構成としてもよい。なお、設定システム１が照明システム１８を備える構成としてもよいし、設定システム１が照明システム１８を備えずに、照明システム１８に接続される構成としてもよい。
【００２０】
記憶部１０は、設定システム１が設定に利用する各種データを記憶している記憶装置である。記憶部１０は、建築データ１１と設備データ１２とを記憶している。記憶部１０は、ＤＲＡＭ（Ｄｙｎａｍｉｃ  Ｒａｎｄｏｍ  Ａｃｃｅｓｓ  Ｍｅｍｏｒｙ）などの揮発性記憶装置、又は、ＨＤＤ（Ｈａｒｄ  Ｄｉｓｋ  Ｄｒｉｖｅ）若しくはＳＳＤ（Ｓｏｌｉｄ  Ｓｔａｔｅ  Ｄｒｉｖｅ）などの不揮発性記憶装置により実現される。
【００２１】
建築データ１１は、建築物の構成を示すデータであり、具体的には、照明システム１８により照明される空間１００の形状及び寸法を示す３次元データ等を含む。建築データ１１は、建築物についての意匠設計、構造設計及び設備設計により作成され、建築物の意匠、構造に関する様々な情報、具体的には、建築物を構成する複数の部材の各々の名称、形状、寸法、配置、仕様、メーカ名、品番などの属性情報を含む。部材の形状は、例えば、３次元の形状であり、部材の配置は、建築物においてその部材を使用する３次元の位置である。建築データ１１は、例えば、ＢＩＭ（Ｂｕｉｌｄｉｎｇ  Ｉｎｆｏｒｍａｔｉｏｎ  Ｍｏｄｅｌｉｎｇ）データである。
【００２２】
設備データ１２は、照明システム１８により照明される空間１００に配備される設備を示すデータである。設備データ１２は、照明システム１８に含まれる１以上の照明装置１０２に関するデータ、より具体的には、照明装置１０２の名称、種類、配置、仕様、メーカ名、品番などの属性情報を含む。
【００２３】
また、設備データ１２は、照明システム１８により照明される空間１００に配備される、照明装置１０２と異なる電気機器に関するデータを含んでもよい。このデータに含まれる内容は、上記と同様に、電気機器の名称、種類、配置、仕様、メーカ名、品番などの属性情報である。この電気機器に関するデータは、空間１００における、照明システム１８を含む電気機器の消費電力を算出するために用いられる。
【００２４】
制御決定部１３は、照明システム１８が行う照明制御の内容を決定する処理部である。照明制御は、具体的には、空間１００を照明する１以上の照明装置１０２の調光又は調色の制御である。つまり、照明制御の内容は、少なくとも１以上の照明装置１０２の調光又は調色の制御の内容、より具体的には、照明光の調光比の設定（０％〜１００％）、照明光の色温度、照明光の色の色相、彩度、明度などの情報を含む。制御決定部１３は、空間１００を照明する照明制御として、第一の照明制御と、第一の照明制御とは異なる第二の照明制御の２つを少なくとも決定する。制御決定部１３は、設定システム１であるコンピュータの動作を制御する制御部（より具体的には、プロセッサ（ＣＰＵ（Ｃｅｎｔｒａｌ  Ｐｒｏｃｅｓｓｉｎｇ  Ｕｎｉｔ）及びメモリ等、不図示）により実現され得る。なお、上記コンピュータは、１つのコンピュータにより実現されるものであってもよいし、互いに通信可能に接続された複数のコンピュータ、つまり機能分散された複数のコンピュータにより実現されるものであってもよい。
【００２５】
制御決定部１３が決定する照明制御の内容は、照明システム１８に含まれる１以上の照明装置１０２それぞれの調光及び調色の設定の１セットに相当する。この１セットが決定されると、空間１００は１つの態様で照明される。この照明のされ方のことを照明シーンともいう。つまり、制御決定部１３が１つの照明制御の内容を決定することは、１つの照明制御に対応した１つの照明シーンを決定することに相当する。制御決定部１３は、照明される空間１００がさまざまな色相、彩度又は明度等を有する、複数の照明制御の内容を保持している。また、制御決定部１３は、ユーザによるユーザインタフェース（後述）を用いた入力、又は、外部の装置からの取得により、保持している照明制御の内容を増やすことができる。
【００２６】
また、制御決定部１３は、決定した照明制御に関する画像及び情報を取得する画像取得部１４と情報取得部１５とを備える。
【００２７】
画像取得部１４は、制御決定部１３が決定した照明制御により照明システム１８が照明した空間１００を示す画像を取得する処理部である。画像取得部１４は、建築データ１１に基づいて空間１００の立体画像を作成し、制御決定部１３が決定した照明制御により設備データ１２に示される照明装置１０２が空間１００を照明している様子を示す色を、作成した上記立体画像に付すことで上記画像を生成する。なお、制御決定部１３は、建築データ１１及び設備データ１２を用いて予め生成した複数の画像のうちから適切なものを選択することで取得してもよいし、設定システム１の外部の装置から上記画像に相当する画像を取得してもよい。
【００２８】
情報取得部１５は、制御決定部１３が決定した照明制御により照明システム１８が空間１００を照明するのに要する電力に関連する情報を取得する処理部である。上記情報は、例えば、（１）上記照明制御により照明システム１８が空間１００を照明するのに要する電力、つまり、照明システム１８の消費電力（Ｗ）、（２）上記照明制御により照明システム１８が空間１００を照明するのに要する電力量、つまり、照明システム１８の消費電力量（Ｗｈ）、又は、（３）上記照明制御により照明システム１８が空間１００を照明するのに要する電気料金（円、ドル又はユーロ等）等である。情報取得部１５は、設備データ１２に基づいて、照明システム１８に含まれる１以上の照明装置１０２が、制御決定部１３が決定した照明制御に従って動作するときの消費電力を算出することで、上記情報を取得する。
【００２９】
表示画面１６は、画像を表示する表示装置であり、例えば液晶ディスプレイにより実現される。表示画面１６は、制御決定部１３による制御に基づいて、画像取得部１４が取得した画像と、情報取得部１５が取得した情報とを含む画像を表示する。表示画面１６は、具体的には、第一の照明制御により照明システム１８が照明した空間１００を示す画像（第一画像ともいう）と、照明システム１８が第一の照明制御により空間１００を照明するのに要する電力に関連する情報（第一情報ともいう）とを対応付けて表示する。また、表示画面１６は、第一の照明制御とは異なる第二の照明制御により照明システム１８が照明した空間１００を示す画像（第二画像ともいう）と、照明システム１８が第二の照明制御により空間１００を照明するのに要する電力に関連する情報（第二情報）とを対応付けて、第一画像及び前記第一情報とともに表示する。
【００３０】
設定部１７は、照明システム１８に接続されており、空間１００を照明するための照明制御を照明システム１８に設定する処理部である。設定部１７は、第一の照明制御及び第二の照明制御の一方を示す指示を受けて、照明システム１８が空間１００を照明する照明制御の内容として上記一方の内容を照明システム１８又は制御決定部１３に設定する。上記指示は、例えば、表示画面１６に表示された第一情報、第一画像、第二情報及び第二画像を視認したユーザが、照明システム１８により照明された空間１００の様子又は雰囲気と、照明システム１８による空間１００の照明に要する電力とを考慮して、第一の照明制御と第二の照明制御のどちらで照明システム１８による照明を行うかを指定する指示である。設定部１７は、上記制御部により実現され得る。
【００３１】
なお、設定部１７が照明制御を照明システム１８に設定することは、当該照明制御によって照明システム１８を稼動させる場合になされる。また、設定部１７が照明制御を制御決定部１３に設定することは、将来に当該照明制御によって照明システム１８を稼動させる場合になされる。
【００３２】
なお、第二の照明制御に従って照明された空間１００の色相、彩度又は明度は、第一の照明制御に従って照明された空間１００の色相、彩度又は明度の類似範囲内に属してもよい。ここで、色相の類似範囲は、例えば、当該色相から色相環において角度１５度〜３０度程度以内、又は、色相差３程度以内（いわゆる隣接色相又は類似色相）の色相とすることができる。また、彩度の類似範囲とは、当該彩度から彩度差３Ｓ程度以内（いわゆる隣接彩度又は類似彩度）とすることができる。また、明度の類似範囲とは、明度差が２程度以内（いわゆる隣接明度又は類似明度）である明度とすることができる。また、第二の照明制御に従って空間１００を照明する照明光の色温度が、第一の照明制御に従って空間１００を照明する照明光の色温度の類似範囲内に属してもよい。ここで、色温度の類似範囲は、例えば、当該色温度から１００Ｋ〜５００Ｋの範囲内とすることができる。このようにすることで、設定システム１は、互いに類似する色相、彩度、明度又は色温度で空間１００を照明する、つまり、互いに類似する雰囲気に空間１００を照明する２つの照明制御をユーザに提示する。ユーザは、提示された２つの照明制御それぞれに従って照明される空間１００の雰囲気及び消費電力を比較検討し、２つの照明制御のうちから、実際に空間１００の照明に用いる照明制御を選択して指示することができる利点がある。
【００３３】
また、第二の照明制御に従って空間１００を照明するのに要する電力が、第一の照明制御に従って空間１００を照明するのに要する電力と異なってもよい。このようにすることで、設定システム１は、互いに異なる消費電力で空間１００を照明する２つの照明制御をユーザに提示する。ユーザは、提示された２つの照明制御それぞれに従って照明される空間１００の雰囲気及び消費電力を比較検討し、２つの照明制御のうちから、実際に空間１００の照明に用いる照明制御を選択して指示することができる利点がある。
【００３４】
また、第二の照明制御に従って空間１００を照明するのに要する照明器具が、第一の照明制御に従って空間１００を照明するのに要する照明器具と異なってもよい。このようにすることで、設定システム１は、互いに異なる照明装置１０２で空間１００を照明する２つの照明制御をユーザに提示する。ユーザは、提示された２つの照明制御それぞれに従って照明される空間１００の雰囲気及び消費電力を比較検討し、２つの照明制御のうちから、実際に空間１００の照明に用いる照明制御を選択して指示することができる利点がある。
【００３５】
なお、画像取得部１４は、制御決定部１３が決定した照明制御により照明システム１８が照明した空間１００を示す画像を、建築データ１１又は設備データ１２を用いることなくコンピュータグラフィックス等により生成することも可能である。その場合、設定システム１は、建築データ１１又は設備データ１２を備えなくてもよい。
【００３６】
以降において、照明制御の設定に関わるデータ及び処理について詳細に説明する。
【００３７】
図３は、本実施の形態における設備データ１２に含まれる照明装置１０２の属性を示す属性テーブルの説明図である。図３を参照しながら、照明システム１８に含まれる１以上の照明装置１０２の属性を示す属性テーブルを説明する。なお、属性テーブルは、照明装置１０２それぞれについて１つ存在する。
【００３８】
図３に示されるように、属性テーブルは、取り付け位置３１、アドレス３２、寸法３３、機能３４及び消費電力３５の属性を、１つの照明装置１０２について有する。
【００３９】
取り付け位置３１は、照明装置１０２が存在している位置を示す３次元座標を示す情報である。３次元座標は、空間１００に対して固定された座標系を用いる。なお、取り付け位置３１として、上記情報の他にも、空間１００内の位置を一意に特定し得る情報を採用することができる。取り付け位置３１は、画像取得部１４が空間１００の画像を生成する際に参照される。
【００４０】
アドレス３２は、照明装置１０２に固有に割り当てられた識別情報であり、照明装置１０２が制御される際に制御対象を示すために用いられる。
【００４１】
寸法３３は、この照明装置１０２の寸法を示す情報であり、３次元座標系における各座標軸方向の寸法を採用し得る。寸法３３は、画像取得部１４が空間１００の画像を生成する際に参照される。
【００４２】
機能３４は、この照明装置１０２が有している機能を示す情報である。機能３４は、例えば、調光又は調色などの機能のうち、この照明装置１０２が有している機能を示す。機能３４は、制御決定部１３による照明シーン設計の際に参照される。
【００４３】
消費電力３５は、この照明装置１０２の消費電力を示す情報である。消費電力３５は、例えば、この照明装置１０２の定格消費電力を採用し得る。なお、消費電力３５は、調光比又は照明色ごとの消費電力に関する情報を含んでもよい。消費電力３５は、照明システム１８が空間１００を照明するのに要する電力に関する情報を情報取得部１５が取得する際に参照される。
【００４４】
図４は、本実施の形態における照明シーン設計のためのユーザインタフェース４０を示す説明図である。ユーザインタフェース４０は、例えば表示画面１６に画像として表示され、ユーザによる照明シーン設計のための入力を受け付ける。ユーザインタフェース４０を用いて照明シーンが設計されると、設計された照明シーンに対応する照明制御が制御決定部１３に保持される。
【００４５】
ユーザインタフェース４０は、選択シーン情報４１と、調光情報４２と、調色情報４３と、決定ボタン４４とを含む。
【００４６】
選択シーン情報４１は、ユーザインタフェース４０により設計される照明シーンを選択するための情報である。選択シーン情報４１により選択される照明シーンが、ユーザインタフェース４０により設計される対象となる照明シーンである。
【００４７】
調光情報４２は、照明シーンの調光を設定するための情報である。調光情報４２は、例えば、調光比（例えば、１００％で最も明るく、０％で最も暗い）により表現される。
【００４８】
調色情報４３は、照明シーンの調色を設定するための情報である。調色情報４３は、例えば、色温度により表現される。なお、色温度の代わりに色相、彩度又は明度等を用いることもできる。
【００４９】
決定ボタン４４は、照明シーンの調光及び調色を決定して、照明シーンの設計を終えるためのボタンである。決定ボタン４４が操作されると、その時点で設定されている調光比及び色温度が、選択シーン情報４１により特定される照明シーンにおける照明装置１０２の調光比及び色温度として、制御決定部１３に保持される。
【００５０】
なお、ユーザインタフェース４０は、１以上の照明装置１０２それぞれの調光又は調色を調整できるものであってもよい。
【００５１】
図５は、本実施の形態における表示画面１６が表示する画像の第一例（画像５０）を示す説明図である。図５に示される画像５０は、画像５１（第一画像）及び情報５２（第一情報）、画像５３（第二画像）及び情報５４（第二情報）、並びに、設定ボタン５５を含む。
【００５２】
画像５１は、第一の照明制御により照明システム１８が照明した空間１００を示す画像である。情報５２は、第一の照明制御により照明システム１８が空間１００を照明するのに要する電力に関連する情報である。
【００５３】
ここで、画像５１と情報５２とは互いに対応付けて表示されている。より具体的には、画像５１と情報５２とは、互いに近接して表示されていることにより、互いに対応付けて表示されている。ここで、「近接して表示されている」とは、人が関連していると認識し得る程度に近寄って表示されていることをいい、例えば２〜３文字分の距離以下の間隔を隔てて表示されていることをいう。
【００５４】
なお、互いに近接して表示されること以外にも、画像５１と情報５２とが線で結ばれていること、画像５１と情報５２とが１つの枠で囲まれていること、画像５１と情報５２とに共通の一の図形が付されていることなどにより、対応付けて表示されてもよい。
【００５５】
画像５３は、第二の照明制御により照明システム１８が照明した空間１００を示す画像である。情報５４は、第二の照明制御により照明システム１８が空間１００を照明するのに要する電力に関連する情報である。
【００５６】
ここで、画像５１と情報５２とは互いに対応付けて表示されている。対応付けられていることの表示方法については、上記の画像５１と情報５２との対応付けと同様である。
【００５７】
設定ボタン５５は、ユーザによる照明制御の設定操作を受け付けるボタンである。
【００５８】
ユーザは、画像５０において互いに対応付けて表示されている画像５１及び情報５２から、第一の照明制御に従って空間１００が照明される様子とその消費電力を認識するとともに、互いに対応付けて表示されている画像５３及び情報５４から、第二の照明制御に従って空間１００が照明される様子とその消費電力を認識することができる。そして、ユーザは、空間１００が照明される様子と消費電力とに基づいて、実際に空間１００を照明するのに用いる照明制御を第一の照明制御又は第二の照明制御のいずれかに決定し、決定に基づいて第一の照明制御又は第二の照明制御のいずれかを選択する操作を行った後に設定ボタン５５を操作する。設定部１７は、ユーザによる設定ボタン５５の操作を、第一の照明制御又は第二の照明制御の一方を示す指示として受け、指示された照明制御を、空間１００を照明する照明制御として照明システム１８に設定する。
【００５９】
図６は、本実施の形態における設定システム１が実行する設定方法の処理を示すフロー図である。
【００６０】
ステップＳ１０１（第一表示ステップ）において、表示画面１６は、制御決定部１３による制御に基づいて、第一の照明制御により照明システム１８が照明した空間１００を示す第一画像と、照明システム１８が第一の照明制御により空間１００を照明するのに要する電力に関連する第一情報とを対応付けて表示する。
【００６１】
ステップＳ１０２（第二表示ステップ）において、表示画面１６は、制御決定部１３による制御に基づいて、第一の照明制御とは異なる第二の照明制御により照明システム１８が照明した空間１００を示す第二画像と、照明システム１８が第二の照明制御により空間１００を照明するのに要する電力に関連する第二情報とを対応付けて、第一画像及び第一情報とともに表示する。
【００６２】
ステップＳ１０３（設定ステップ）において、設定部１７は、第一の照明制御及び第二の照明制御の一方を示す指示を受けて、空間１００を照明する照明制御の内容として上記一方の内容を設定する。
【００６３】
これにより、設定システム１は、電力消費に関するユーザの意図を反映した照明制御をすることができる。
【００６４】
以降において、上記設定方法の利用例を説明する。
【００６５】
図７は、本実施の形態における制御決定部１３による照明制御の内容の決定方法の第一例を示す説明図である。図８は、本実施の形態における制御決定部１３による照明制御の内容の決定方法の第一例において表示画面１６が表示する画像を示す説明図である。
【００６６】
ここでは、空間１００を照明する照明制御として第一の照明制御が既に設定されている場合に、設定システム１が、第一の照明制御に対応する照明シーンに類似した照明シーンを実現する他の照明制御の候補をユーザに提示して、照明制御を変更する機会を提供する場合を説明する。
【００６７】
図７には、複数の照明制御のそれぞれにより照明システム１８が照明した空間１００を示す複数の画像６１ａ〜６１ｃ、及び、６２ａ〜６２ｈが示されている。ここで、画像６１ａ〜６１ｃ、及び、６２ａ〜６２ｈは、表現方法の違いがあるものの、どちらも同様に照明制御によって空間１００が照明される様子を示す画像である。画像６１ａ〜６１ｃは、空間１００に配置されたテーブル、椅子、棚及び壁などが照明される様子を具体的に示した画像であり、画像６２ａ〜６２ｈは、照明された空間１００の様子又は雰囲気などを抽象的に示した画像である。画像６２ａ〜６２ｈは、空間１００に配置されたテーブル等を具体的に示す画像ではないが、空間１００に配置されたテーブル等を示す画像６１ａ〜６１ｃとともに表示されることで、画像６１ａ〜６１ｃに示されたテーブル等が照明システム１８による照明によって画像６２ａ〜６２ｈに示される色又は雰囲気に照明されることを示している。なお、図面上では、暖色系の色（例えば赤、黄色又は橙）をドット埋めで示し、その色の違いをドットの密度で示している。また、寒色系の色（例えば青又は緑）をハッチングで示し、その色の違いを斜線の密度で示している。
【００６８】
例えば、ユーザは、表示画面１６に表示された画像６２ａを視認すると、同じく表示画面１６に表示されている画像６１ａに示されるテーブルなどが、画像６２ａにより表現される色で照明されることを想像することができる。このように、画像６２ａ〜６２ｈは、画像６１ａ等とともに表示されることで、照明システム１８が照明した空間１００を示す画像として機能する。
【００６９】
図７の横軸は、照明制御に要する消費電力を示しており、右に位置する画像に対応する照明制御ほど消費電力が小さい。また、図７の縦軸は、照明システム１８により照明された空間１００の色又は雰囲気の違いを示している。例えば、縦軸の指標として空間１００の色相、彩度若しくは明度、又は、照明光の色温度を採用することができる。以降では、縦軸の指標として空間１００の色相を採用する場合を例として説明する。
【００７０】
図７において、画像６１ｃが、既に設定されている第一の照明制御により照明される空間１００を示した画像であるとする。
【００７１】
この場合、制御決定部１３は、照明される空間１００の色相、彩度又は明度が、第一の照明制御に従って照明された空間１００の色相、彩度又は明度の類似範囲内に属する照明制御を第二の照明制御として決定する。言い換えれば、制御決定部１３は、画像６１ｃと縦軸方向の位置が所定の類似範囲内に属する画像６１ｂ、６２ａ、６２ｄ及び６２ｇに対応する照明制御それぞれを、第二の照明制御として決定する。なお、色相について類似範囲とは、人によって類似した色相であると認識される色相の範囲をいい、例えば隣接色相又は類似色相の範囲を採用することができる。
【００７２】
そして、制御決定部１３は、第一の照明制御及び第二の照明制御を用いて表示画面１６への画像の表示を行う（図８参照）。
【００７３】
図８には、第一の照明制御に対する画像６１ｃと、第二の照明制御それぞれに対応する画像６２ａ、６１ｂ、６２ｄ及び６２ｇとが表示されており、これらの画像それぞれには、各照明制御に要する電力に関する情報が対応付けて表示されている。ユーザは、画像６１ｃ及び６２ａ等を視認して、実際に空間１００を照明する照明制御を選択することができる。
【００７４】
また、図８には、ユーザによる設定操作を受け付ける設定ボタン５５が表示されている。第二の照明制御が選択された状態で設定ボタン５５が操作されると、操作された時点で選択されている第二の照明制御が、変更する先の照明制御として設定される。
【００７５】
ユーザは、図８に示される表示画面１６を視認することで、各照明制御によって照明された空間１００の様子と、その照明制御に要する電力とを把握した上で、第一の照明制御から変更する先の照明制御をその消費電力を考慮して選択することができる。このようにして、設定システム１は、電力消費に関するユーザの意図を反映した照明制御を決定することができる。
【００７６】
なお、図７において画像６１ｃと雰囲気が類似する類似範囲内に含まれる５つの画像のうち、画像６２ｄは、画像６１ｃと消費電力が類似する類似範囲内に属する。このような場合に、制御決定部１３は、画像６２ｄに対応する照明制御を、第二の照明制御から除外するようにしてもよい。ユーザは、第一の照明制御から照明制御を変更することを意図している場合、雰囲気と消費電力との両方が第一の照明制御と類似する照明制御は、変更する先として適当でないと考えられるためである。設定システム１が画像６２ｄに対応する照明制御を第二の照明制御から除外することで、ユーザが意図に反した選択をすることを未然に回避することができる利点がある。
【００７７】
図９は、本実施の形態における制御決定部１３による照明制御の内容の決定方法の第二例を示す説明図である。図１０は、本実施の形態における制御決定部１３による照明制御の内容の決定方法の第二例において表示画面１６が表示する画像を示す説明図である。
【００７８】
この例では、将来の所定の期間に含まれる時間帯ごとに空間１００を照明する照明制御を行う場合の、時間帯ごとの照明制御を事前に決定するときの決定方法を示している。以降では、上記所定の期間が一日であり、上記時間帯が数時間程度の時間帯（例えば４時〜９時、９時〜１０時、１０時〜１４時、１４時〜１７時、１７時〜２３時、２３時〜翌日４時）である場合の例を説明する。
【００７９】
ここで、上記時間帯のそれぞれに空間１００を照明する照明制御として第一の照明制御が既に設定されている場合に、各時間帯において照明制御を変更する候補をユーザに提示して、照明制御を変更する機会を提供する場合を説明する。
【００８０】
例えば、図９では、「１０時」と示される１０時〜１４時の時間帯に使用される照明制御の候補が３つあり、この３つの照明制御それぞれにより空間１００が照明される様子を示す複数の画像７０、７１及び７２が示されている。また、画像７１が、この時間帯の照明制御として設定されている照明制御により照明される空間１００を示した画像であるとする。なお、画像７１の周囲に示されている図形７３は、画像７１がこの時間帯の照明制御として設定されていることを示す印として機能する。図形７３は、矩形の形状として示されているが、矩形に限らず、円形又は三角形等であってもよい。
【００８１】
ここで、候補とは、予め定められた照明制御の候補であり、例えば、空間１００をどのような色又は雰囲気に照明するかという条件を満たすものが定められている。例えば、日中に人が訪れる空間を暖色系の色になるように照明する、夜間にあまり人が訪れない空間を低い明度で照明するなどの条件が設定されていてもよい。
【００８２】
以降において、ユーザが「１０時」と示される時間帯の設定を行うときに制御決定部１３が表示画面１６に表示する画像を図１０に示す。
【００８３】
図１０には、この時間帯に使用される照明制御の３つの候補それぞれに従って空間１００が照明される様子を示す画像７０、７１及び７２が表示され、また、この時間外の照明制御として設定されている照明制御を示す図形７３が画像７１の周囲に表示されている。ここで、画像７１が第一の照明制御により照明システム１８が照明した空間１００を示す画像に相当し、画像７０及び７２が第二の照明制御により照明システム１８が照明した空間１００を示す画像に相当する。図１０に示される設定ボタン５５は、図８に示されるものと同じ機能を有する。
【００８４】
ユーザは、図１０に示される表示画面１６を視認することで、照明制御によって空間１００が照明される様子と、その照明制御に要する電力とを把握し、これらに基づいて、当該時間帯に設定する照明制御を決定することができる。
【００８５】
なお、制御決定部１３は、表示画面１６に一日の合計消費電力量７５を併せて表示してもよい。合計消費電力量７５は、一日に含まれる各時間帯の消費電力［Ｗ］と、各時間帯の時間長［ｈ］との積を各時間帯に亘って足し合わせることで得られる。合計消費電力量７５が表示画面１６に表示されていると、ユーザは、各時間帯の照明制御により照明した空間１００を示す画像と、その照明制御に要する電力とに加えて、一日の合計消費電力を考慮して、各時間帯の照明制御を設定することができる。
【００８６】
このように、制御決定部１３は、将来の一の時間帯に空間１００を照明する照明制御の選択の指示を受け、上記指示により選択された照明制御を、第一の照明制御として表示画面１６に表示するとともに、上記指示により選択された照明制御とは異なる照明制御を、第二の照明制御として表示画面１６に表示する。これにより、例えばユーザから指示された時間帯に行うものとして定められている照明制御と、他の照明制御とをともにユーザに視認させ、これらを比較検討させる機会をユーザに与えることができる。そして、比較検討の結果、ユーザが当該時間帯に行う照明制御を他の照明制御に変更することを意図した場合には、その意図に沿った照明制御の設定を行うことができる。
【００８７】
図１１は、本実施の形態における制御決定部１３による照明制御の内容の決定方法の第三例を示す説明図である。
【００８８】
図１１は、空間１００で使用することができる電力の制限値が設定されている場合に、所定の期間に含まれる時間帯ごとに空間１００を照明する照明制御を行う場合の、時間帯ごとの照明制御を事前に決定するときの決定方法を示している。所定の期間、及び、時間帯については、上記第二例の場合と同様であるので詳細な説明を省略する。
【００８９】
電力の制限値には、例えば、電力会社により電力契約単位でデマンド要求に基づいて定められる要求値が含まれる。なお、電力契約が建築物の単位でなされている場合には電力会社からの要求値は建築物の単位でなされるが、その場合には、建築物の単位の要求値を、建築物内の複数の空間に割り振ることで、空間１００で使用することができる電力の制限値を算出することができる。
【００９０】
図１１には、空間１００の照明制御を行う電力の複数の時間帯それぞれにおける制限値を示したグラフ８０と、複数の時間帯それぞれにおける照明制御の候補に対応する画像が示されている。
【００９１】
グラフ８０の横軸は、時間を示しており、縦軸は、各時間帯における空間１００の電力の制限値を示している。
【００９２】
また、複数の時間帯それぞれにおける照明制御の候補に対応する画像は、各時間帯における空間１００の電力の制限値より小さい消費電力で行うことができる照明制御に対応する画像になっている。これらの照明制御の候補からユーザが第二の照明制御を選択する方法については、上記第二例（図９及び図１０）の場合と同様のものとしてもよいし、より詳しい情報を総合的に示すもの（図１２参照）であってもよい。
【００９３】
図１２は、本実施の形態における制御決定部１３による照明制御の内容の決定方法の第三例において表示画面１６が表示する画像を示す説明図である。
【００９４】
図１２に示されるように、表示画面１６には、制御期間９０と、合計消費電力量９１と、画像群９２と、候補画像群９３と、電力量のグラフ９４と、設定ボタン５５が表示されている。
【００９５】
制御期間９０は、この照明制御によって照明システム１８が制御される時間区間（８時〜２１時）を示す。制御期間９０は、照明制御が行われる複数の時間帯を含む。
【００９６】
合計消費電力量９１は、制御期間９０の全体に亘る消費電力量の合計値を示す。合計消費電力量９１は、図９の合計消費電力量７５と同じ意味である。
【００９７】
画像群９２は、制御期間９０に含まれる１以上の時間帯における照明制御に従って照明される空間１００の様子を示す１以上の画像と、各画像に対応付けられたその照明制御に要する電力に関する情報とを含む。画像群９２において、空間１００の様子を示す１以上の画像が制御期間９０に亘って表示されている。画像群９２を視認することでユーザは、上記１以上の時間帯それぞれについて、第一の照明制御及び第二の照明制御の一方を示す指示により指定された照明制御に対応する、空間１００の様子を示す画像と、電力に関する情報とを一覧し、一の時間帯と他の時間帯とを見比べて必要に応じて変更する機会を得る。
【００９８】
また、画像群９２に含まれる１以上の画像のうち、ユーザが設定することができる画像には、そのことを示す図形が付されている。この図形が付された画像が第一画像に相当し、第一画像に対応付けられた電力に関する情報が第一情報に相当し、この図形が付された画像に対応する照明制御が第一の照明制御に相当する。
【００９９】
候補画像群９３は、画像群９２に含まれる１以上の画像のうち図形で示される画像に対応する時間帯の、照明制御の候補を示す複数の画像を含む。また、候補画像群９３に含まれる各画像には、各画像に対応する照明制御に要する電力を示す情報が対応付けて表示されている。候補画像群９３に示された画像それぞれが第二画像に相当し、第二画像に対応付けられた電力に関する情報が第二情報に相当し、候補画像群９３に示された画像それぞれに対応する照明制御が第二の照明制御に相当する。
【０１００】
電力量のグラフ９４には、照明制御に要する電力量９５、空間１００で稼動する電気機器（照明システム１８を含む）が消費する電力量９６、及び、空間１００で消費する電力の閾値９７が示されている。グラフ９４において、横軸が時間を示し、縦軸が電力量を示している。
【０１０１】
照明制御に要する電力量９５は、制御決定部１３が決定した各時間帯の照明制御に要する電力に基づいて時間帯ごとに算出された電力量である。
【０１０２】
空間１００で消費する電力量９６は、照明制御に要する電力に、制御決定部１３が取得する、空間１００で使用される電気機器の消費電力を加えたものとして得られる。
【０１０３】
空間１００で消費する電力の閾値９７は、電力に関する所定の閾値であり、例えば、デマンド要求等に基づいて定められる、空間１００の照明制御を行う電力量の制限である。なお、空間１００で消費する電力量が、制限電力量を超えている時間帯の領域９８を、他の時間帯とは異なる態様（異なる色、影の有無、又は、線の太さの相違等）で表示するようにしてもよい。
【０１０４】
設定ボタン５５は、図８に示されるものと同じ機能を有する。
【０１０５】
ユーザは、画像群９２及び候補画像群９３を用いて、図１０と同様に第二の照明制御の決定及び設定を行うことができる。また、電力量のグラフを参照することで、時間帯ごとの照明制御に要する電力、空間１００における電気機器の消費電力を把握し、これらと制限電力量との関係を知ることができる。これを用いてユーザは、例えば、消費電力量が制限電力量を超える時間帯がある場合に制限電力量を超えない範囲内で、画像群９２及び候補画像群９３を用いて照明制御を変更することができる。
【０１０６】
以上のように本実施の形態における設定方法は、照明システム１８が行う照明制御の内容を設定する設定方法であって、第一の照明制御により照明システム１８が照明した空間１００を示す第一画像と、照明システム１８が第一の照明制御により空間１００を照明するのに要する電力に関連する第一情報とを対応付けて、表示画面１６に表示する第一表示ステップと、第一の照明制御とは照明態様が異なる第二の照明制御により照明システム１８が照明した空間１００を示す第二画像と、照明システム１８が第二の照明制御により空間１００を照明するのに要する電力に関連する第二情報とを対応付けて、第一画像及び第一情報とともに表示画面１６に表示する第二表示ステップと、第一の照明制御及び第二の照明制御の一方を示す指示を受けて、空間１００を照明する照明制御の内容として上記一方の内容を設定する設定ステップとを含む。
【０１０７】
これによれば、設定システム１は、２つの照明制御それぞれにより照明システム１８が照明した空間１００の様子又は雰囲気と、その際の消費電力とをユーザに視認させ、これらを比較検討させる機会をユーザに与えることができる。そして、比較検討の結果、ユーザが指示した照明制御に従って照明システム１８を稼働させることができる。よって、本実施の形態における設定方法によれば、電力消費に関するユーザの意図を反映した照明制御をすることができる。
【０１０８】
例えば、上記設定方法は、さらに、将来の一の時間帯に照明システム１８が行う照明制御を選択する指示を受ける選択ステップを含み、第一表示ステップでは、選択ステップで受けた指示により選択された照明制御を、第一の照明制御として用いて表示をし、第二表示ステップでは、選択ステップで受けた指示により選択された照明制御とは異なる照明制御を、第二の照明制御として用いて表示をし、設定ステップでは、上記一の時間帯に空間１００を照明する照明制御の内容として、上記一方の内容を設定する。
【０１０９】
これによれば、設定システム１は、将来の一の時間帯に行うものとして定められている照明制御と、他の照明制御とをともにユーザに視認させ、これらを比較検討させる機会をユーザに与えることができる。そして、比較検討の結果、ユーザが当該時間帯に行う照明制御を他の照明制御に変更することを意図した場合には、その意図に沿った照明制御の設定を行い、照明システム１８を稼働させることができる。
【０１１０】
例えば、第二の照明制御は、第二の照明制御に従って照明された空間１００の色相、彩度又は明度が、第一の照明制御に従って照明された空間１００の色相、彩度又は明度の類似範囲内に属する、照明制御である。
【０１１１】
これによれば、設定システム１は、色相、彩度又は明度において互いに類似する雰囲気に空間１００を照明する２つの照明制御をユーザに提示する。ユーザは、提示された２つの照明制御それぞれに従って照明される空間１００の雰囲気及び消費電力を比較検討し、２つの照明制御のうちから、実際に空間１００の照明に用いる照明制御を選択して指示することができる。
【０１１２】
例えば、第二の照明制御は、第二の照明制御に従って空間１００を照明する照明光の色温度が、第一の照明制御に従って空間１００を照明する照明光の色温度の類似範囲内に属する、照明制御である。
【０１１３】
これによれば、設定システム１は、色温度において互いに類似する雰囲気に空間１００を照明する２つの照明制御をユーザに提示する。ユーザは、提示された２つの照明制御それぞれに従って照明される空間１００の雰囲気及び消費電力を比較検討し、実際に空間１００の照明に用いる照明制御を選択して指示することができる。
【０１１４】
例えば、第二の照明制御は、第二の照明制御に従って空間１００を照明するのに要する電力が、第一の照明制御に従って空間１００を照明するのに要する電力と異なる、照明制御である。
【０１１５】
これによれば、設定システム１は、互いに消費電力が異なる２つの照明制御それぞれに従って照明される空間１００の雰囲気及び消費電力をユーザに提示する。ユーザは、提示された２つの照明制御それぞれに従って照明される空間１００の雰囲気及び消費電力を比較検討し、実際に空間１００の照明に用いる照明制御を選択して指示することができる。
【０１１６】
例えば、第二の照明制御は、第二の照明制御に従って空間１００を照明するのに要する照明装置が、第一の照明制御に従って空間１００を照明するのに要する照明装置と異なる、照明制御である。
【０１１７】
これによれば、設定システム１は、用いる照明装置１０２が互いに異なる２つの照明制御をユーザに提示する。ユーザは、提示された２つの照明制御それぞれに従って照明される空間１００の雰囲気及び消費電力を比較検討し、実際に空間１００の照明に用いる照明制御を選択して指示することができる。
【０１１８】
例えば、設定ステップでは、上記一の時間帯の時間長より長い期間に含まれる複数の時間帯それぞれについて、第一の照明制御及び第二の照明制御の一方を示す指示を受けて空間１００を照明する照明制御の内容を設定し、設定方法は、さらに、複数の時間帯それぞれについて設定された照明制御により照明システムが照明した空間１００を示す画像を、上記期間に亘って表示する第三表示ステップを含む。
【０１１９】
これによれば、設定システム１は、上記１以上の時間帯それぞれについて、空間１００の様子を示す画像と、電力に関する情報との一覧をユーザに提示する。ユーザは、提示された一覧において、一の時間帯と他の時間帯とを見比べて、必要に応じて照明制御を変更する機会を得る。
【０１２０】
例えば、第三表示ステップでは、さらに、複数の時間帯それぞれについて、照明システム１８が空間１００を照明するのに要する電力と、空間１００で稼動する電気機器により消費される電力とを合計した合計電力を表示画面１６に表示する。
【０１２１】
これによれば、ユーザは、空間１００で稼動する電気機器が消費する合計電力を知ることで、必要に応じて照明制御を変更する機会を得る。
【０１２２】
例えば、第三表示ステップでは、複数の時間帯それぞれについて、合計電力が閾値を超えている場合に、合計電力が閾値を超えていない場合とは異なる態様で、合計電力を表示画面１６に表示する。
【０１２３】
これによれば、ユーザは、合計電力が閾値を上回る時間帯をグラフから直観的に知ることができる。そして、合計電力が閾値を上回ることを回避することを意図する場合には、設定システム１を用いて照明制御を変更することができる。
【０１２４】
例えば、第一表示ステップでは、空間１００を示す建築データであるＢＩＭデータと、空間１００に配備された設備の仕様を含む設備データとを用いて予め生成された第一画像及び第一情報を用いて、表示をし、第二表示ステップでは、ＢＩＭデータと設備データとを用いて予め生成された第二画像及び第二情報を用いて、表示をする。
【０１２５】
これによれば、設定システム１は、具体的にＢＩＭデータと設備データとを用いて照明システム１８が行う照明制御の内容を設定することができる。
【０１２６】
本実施の形態における設定システム１は、照明システムが行う照明制御の内容を設定する設定システム１であって、設定システム１は、制御部を備え、制御部に、第一の照明制御により照明システム１８が照明した空間１００を示す第一画像と、照明システム１８が第一の照明制御により空間１００を照明するのに要する電力に関連する第一情報とを対応付けて、表示画面１６に表示する第一表示ステップと、第一の照明制御とは照明態様が異なる第二の照明制御により照明システム１８が照明した空間１００を示す第二画像と、照明システム１８が第二の照明制御により空間１００を照明するのに要する電力に関連する第二情報とを対応付けて、第一画像及び第一情報とともに表示画面１６に表示する第二表示ステップと、第一の照明制御及び第二の照明制御の一方を示す指示を受けて、空間１００を照明する照明制御の内容として上記一方の内容を設定する設定ステップとを実行させる。
【０１２７】
これによれば、上記設定方法と同様の効果を奏する。
【０１２８】
本実施の形態におけるプログラムは、上記の設定方法をコンピュータに実行させるためのプログラムである。
【０１２９】
これによれば、上記設定方法と同様の効果を奏する。
【０１３０】
（その他）
以上、本発明に係る設定方法等について、上記実施の形態に基づいて説明したが、本発明は、上記の実施の形態に限定されるものではない。
【０１３１】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１３２】
１    設定システム
１１    建築データ
１２    設備データ
１６    表示画面
１８    照明システム
５０、５１、５３、６１ａ〜６１ｃ、６２ａ〜６２ｇ、７０、７１、７２    画像
５２、５４    情報
１００    空間
１０２    照明装置
【図１】
2018067392.tif 000003
【図２】
2018067392.tif 000004
【図３】
2018067392.tif 000005
【図４】
2018067392.tif 000006
【図５】
2018067392.tif 000007
【図６】
2018067392.tif 000008
【図７】
2018067392.tif 000009
【図８】
2018067392.tif 000010
【図９】
2018067392.tif 000011
【図１０】
2018067392.tif 000012
【図１１】
2018067392.tif 000013
【図１２】
2018067392.tif 000014